【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
キャリア・アグリゲーション・システムにおける、キャリアコンフィギュレーション及びアクティベーションのための基地局によって実行される方法であって、
少なくとも１つの追加キャリアを構成するための第１の信号をユーザ装置（ＵＥ）に送信するステップであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされる、ステップと；
アクティベーション指示を伝える第２の信号であって、前記構成された追加キャリアの少なくとも１つのデアクティベートされた追加キャリアをアクティベートするように前記ＵＥに指示するための第２の信号をＵＥに送信するステップと；
前記少なくとも１つのデアクティベートされた追加キャリアをアクティベートし、かつ前記アクティベートされた追加キャリア上で、物理ダウンリンク制御チャネル（ＰＤＣＣＨ）のモニタリング及び物理ダウンリンク共有チャネル（ＰＤＳＣＨ）の受信を開始するように制御するステップと；
前記ＵＥのために前記アクティベートされた追加キャリアに対して、複数のキャリアのうちの１つのキャリア上で前記タイマをリスタートさせるのに用いられるＰＤＣＣＨを送信するステップと；
対応する前記タイマの終了後に、前記アクティベートされた追加キャリアをデアクティベートさせ、かつ前記デアクティベートされた追加キャリア上で、前記ＰＤＣＣＨのモニタリング及び前記ＰＤＳＣＨの受信を停止するように制御するステップと；
を有する方法。
【請求項２】
キャリア・アグリゲーション・システムにおいて、キャリアアクティベーションを実行するユーザ装置（ＵＥ）によって実行される方法であって、
少なくとも１つの追加キャリアを構成するための、基地局から送信された第１の信号を受信するステップであって、前記第１の信号は、前記ＵＥの追加キャリアの各々にタイマを構成し、前記キャリアは、前記タイマの終了後にデアクティベートされる、ステップと；
前記構成された追加キャリアの少なくとも１つのデアクティベートされた追加キャリアをアクティベートするように前記ＵＥに指示するための、アクティベーション指示を伝える第２の信号を受信するステップと；
前記第２の信号に従って、前記ＵＥのために構成されたキャリアの少なくとも１つのデアクティベートされた追加キャリアをアクティベートし、かつ前記アクティベートされた追加キャリア上で、ＰＤＣＣＨのモニタリング及びＰＤＳＣＨの受信を開始するステップと；
前記ＵＥのために前記アクティベートされた追加キャリアに対して、複数のキャリアのうちの１つのキャリア上でのＰＤＣＣＨに応じて、前記タイマをリスタートさせるステップと；
対応する前記タイマの終了後に前記アクティベートされた追加キャリアをデアクティベートし、前記デアクティベートされた追加キャリア上で前記ＰＤＣＣＨのモニタリング及び前記ＰＤＳＣＨの受信を停止するステップと；
を有する方法。
【請求項３】
キャリア・アグリゲーション・システムにおいて、キャリアアクティベーションを実行する基地局であって：
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされたキャリア上でＰＤＣＣＨのモニタリング及びＰＤＳＣＨの受信を開始するように制御する、アクティベーション処理ユニットと；
対応する前記タイマの終了後に、前記アクティベートされた追加キャリアをデアクティベートさせ、前記デアクティベートされたキャリア上で前記ＰＤＣＣＨのモニタリング及び前記ＰＤＳＣＨの受信を停止するよう制御する、デアクティベーション処理ユニットと；
を有し、
当該基地局は、前記ＵＥのために前記アクティベートされた追加キャリアに対して、複数のキャリアのうちの１つのキャリア上で前記タイマをリスタートさせるのに用いられるＰＤＣＣＨを送信する、
基地局。
【請求項４】
キャリア・アグリゲーション・システムにおける、ユーザ装置（ＵＥ）であって：
少なくとも１つの追加キャリアを構成する、基地局から送信された第１の信号を受信し、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号を受信する、受信ユニットと：
前記第２の信号に従って、前記ＵＥのための構成されたキャリアの少なくとも１つのデアクティベートされた追加キャリアをアクティベートし、かつ前記アクティベートされた追加キャリア上で、ＰＤＣＣＨのモニタリング及びＰＤＳＣＨの受信を開始する、アクティベーション処理ユニットと；
対応する前記タイマの終了後に少なくとも１つのアクティベートされた追加キャリアをデアクティベートし、前記デアクティベートされた追加キャリア上で前記ＰＤＣＣＨのモニタリング及びＰＤＳＣＨの受信を停止する、デアクティベーション処理ユニットと；
を有し、
前記ＵＥのために前記アクティベートされた追加キャリアに対して、複数のキャリアのうちの１つのキャリア上でのＰＤＣＣＨに応じて、前記ＵＥは前記タイマをリスタートさせる、
ユーザ装置。
【請求項５】
キャリア・アグリゲーションを利用して通信が実行される通信システムであって：
基地局と；
ユーザ装置と；
を有し、
前記基地局は、
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するよう制御する、アクティベーション処理ユニットと；
対応する前記タイマの終了後に、前記アクティベートされた追加キャリアをデアクティベートさせ、かつ前記デアクティベートされた追加キャリア上でＰＤＣＣＨのモニタリング及びＰＤＳＣＨの受信を停止するよう制御する、デアクティベーション処理ユニットと；
を有し、
前記基地局は、前記ＵＥのために前記アクティベートされた前記追加キャリアに対して、複数のキャリアのうちの１つのキャリア上で前記タイマをリスタートさせるのに用いられるＰＤＣＣＨを送信し、
前記ＵＥは、
前記第１の信号を受信し、かつ、前記第１の信号は、前記ＵＥの追加キャリアの各々に前記タイマを構成し、前記キャリアは、前記タイマの終了後にデアクティベートされ、かつ、前記第２の信号を受信する、受信ユニットと；
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
前記対応するタイマの終了後に少なくとも１つのアクティベートされた追加キャリアをデアクティベートし、前記デアクティベートされた追加キャリア上の前記ＰＤＣＣＨのモニタリング及びＰＤＳＣＨの受信を停止する、デアクティベーション処理ユニットと；
を有し、
前記ＵＥのために前記アクティベートされた追加キャリアに対して、複数のキャリアのうちの１つのキャリア上でのＰＤＣＣＨに応じて、前記ＵＥは前記タイマをリスタートさせる、
通信システム。
【請求項６】
キャリア・アグリゲーション・システムにおける、キャリアコンフィギュレーション及びアクティベーションのための基地局によって実行される方法であって、
少なくとも１つの追加キャリアを構成するための第１の信号をユーザ装置（ＵＥ）に送信するステップであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされる、ステップと；
アクティベーション指示を伝える第２の信号であって、前記構成された追加キャリアの少なくとも１つのデアクティベートされた追加キャリアをアクティベートするように前記ＵＥに指示するための第２の信号をＵＥに送信するステップと；
前記少なくとも１つのデアクティベートされた追加キャリアをアクティベートし、かつ前記アクティベートされた追加キャリア上で、物理ダウンリンク制御チャネル（ＰＤＣＣＨ）のモニタリング及び物理ダウンリンク共有チャネル（ＰＤＳＣＨ）の受信を開始するように制御するステップと；
前記ＵＥのために前記アクティベートされた追加キャリア上で前記タイマをリスタートさせるのに用いられるＰＤＣＣＨを送信するステップと；
対応する前記タイマの終了後に、前記アクティベートされた追加キャリアをデアクティベートさせ、かつ前記デアクティベートされた追加キャリア上で、前記ＰＤＣＣＨのモニタリング及び前記ＰＤＳＣＨの受信を停止するように制御するステップと；
を有する方法。
【請求項７】
キャリア・アグリゲーション・システムにおいて、キャリアアクティベーションを実行するユーザ装置（ＵＥ）によって実行される方法であって、
少なくとも１つの追加キャリアを構成するための、基地局から送信された第１の信号を受信するステップであって、前記第１の信号は、前記ＵＥの追加キャリアの各々にタイマを構成し、前記キャリアは、前記タイマの終了後にデアクティベートされる、ステップと；
前記構成された追加キャリアの少なくとも１つのデアクティベートされた追加キャリアをアクティベートするように前記ＵＥに指示するための、アクティベーション指示を伝える第２の信号を受信するステップと；
前記第２の信号に従って、前記ＵＥのために構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始するステップと；
前記ＵＥのための前記アクティベートされた追加キャリア上でのＰＤＣＣＨに応じて、前記タイマをリスタートさせるステップと；
対応する前記タイマの終了後に前記アクティベートされた追加キャリアをデアクティベートし、前記デアクティベートされた追加キャリア上で前記ＰＤＣＣＨのモニタリング及び前記ＰＤＳＣＨの受信を停止するステップと；
を有する方法。
【請求項８】
キャリア・アグリゲーション・システムにおいて、キャリアアクティベーションを実行する基地局であって：
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するように制御する、アクティベーション処理ユニットと；
対応する前記タイマの終了後に、前記アクティベートされた追加キャリアをデアクティベートさせ、前記デアクティベートされた追加キャリア上で前記ＰＤＣＣＨのモニタリング及び前記ＰＤＳＣＨの受信を停止するよう制御する、デアクティベーション処理ユニットと；
を有し、
当該基地局は、前記ＵＥのための前記追加キャリア上で前記タイマをリスタートさせるのに用いられるＰＤＣＣＨを送信する、
基地局。
【請求項９】
キャリア・アグリゲーション・システムにおける、ユーザ装置（ＵＥ）であって：
少なくとも１つの追加キャリアを構成する、基地局から送信された第１の信号を受信し、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号を受信する、受信ユニットと：
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
対応する前記タイマの終了後に少なくとも１つのアクティベートされた追加キャリアをデアクティベートし、前記デアクティベートされた追加キャリア上で前記ＰＤＣＣＨのモニタリング及びＰＤＳＣＨの受信を停止する、デアクティベーション処理ユニットと；
を有し、
前記ＵＥのための前記アクティベートされた追加キャリア上でのＰＤＣＣＨに応じて、前記ＵＥは前記タイマをリスタートさせる、
ユーザ装置。
【請求項１０】
キャリア・アグリゲーションを利用して通信が実行される通信システムであって：
基地局と；
ユーザ装置と；
を有し、
前記基地局は、
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するよう制御する、アクティベーション処理ユニットと；
対応する前記タイマの終了後に、前記アクティベートされた追加キャリアをデアクティベートさせ、かつ前記デアクティベートされた追加キャリア上でＰＤＣＣＨのモニタリング及びＰＤＳＣＨの受信を停止するよう制御する、デアクティベーション処理ユニットと；
を有し、
前記基地局は、前記ＵＥのための前記アクティベートされた追加キャリア上で前記タイマをリスタートさせるのに用いられるＰＤＣＣＨを送信し、
前記ＵＥは、
前記第１の信号を受信し、かつ、前記第１の信号は、前記ＵＥの追加キャリアの各々に前記タイマを構成し、前記キャリアは、前記タイマの終了後にデアクティベートされ、かつ、前記第２の信号を受信する、受信ユニットと；
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
前記対応するタイマの終了後に少なくとも１つのアクティベートされた追加キャリアをデアクティベートし、前記デアクティベートされた追加キャリア上の前記ＰＤＣＣＨのモニタリング及びＰＤＳＣＨの受信を停止する、デアクティベーション処理ユニットと；
を有し、
前記ＵＥのための前記アクティベートされた追加キャリア上でのＰＤＣＣＨに応じて、前記ＵＥは前記タイマをリスタートさせる、
通信システム。